(57)【要約】      （修正有）【課題】輸送、搬入設置時に安全性が高く、施工が容易で労力と作業コストの低減が可能な機能を有したコンクリート構造体を提供する。【解決手段】ワイヤー４を内蔵し、設置時に収納部３から引き出して吊り上げ、使用後は、元の位置に収納する機能を有したコンクリート構造体。【選択図】図１
2014058840.tif 000002
【特許請求の範囲】
【請求項１】
固定金具と収納部を有し、その収納部に固定金具と係合するように停止金具が両端に付いたワイヤーが収納されており、吊り上げる時にワイヤーを収納部から引出して吊り上げることを特徴とするコンクリート構造体。
【発明の詳細な説明】
【技術分野】
【０００１】
本発明は、コンクリート構造体、特にこの構造体を吊り上げるワイヤーを収納してなるコンクリート構造体に関するものである。
【背景技術】
【０００２】
例えばマンホールを運搬及び搬入設置時は、吊りワイヤー（玉かけ）を使い吊り上げている。
【先行技術文献】
【特許文献】
【０００３】
【特許文献１】特開平０９−３０２６９４５号
【発明の概要】
【発明が解決しようとする課題】
【０００４】
前記特許文献で知られる内容では、前記特許文献記載の図１に示されているように、設置するマンホールに合わせた吊りワイヤー２１、２８と、第１の吊り金具２２、第２の吊り金具２３、第３の吊り金具２４を用意しなければならず、水平に吊り上げる為に位置測定を行い、前記特許文献記載の図３に示されているように、プレート２６とボルト２５を固定しなければならず、多くの作業工程を必要とする。
【課題を解決するための手段】
【０００５】
請求項１の発明は、従来の問題点を根本的に改善した技術であって、コンクリート構造体に固定された金具と収納部を有し、その収納部の内部に、前記金具と係合可能な停止金具を両端に付けたワイヤーを収納し、吊り上げる時に、ワイヤーを収納部から引出して吊り上げ、使用後は元の位置に収納することを特微とするコンクリート構造体。
【発明の効果】
【０００６】
請求項1に記載の本発明は前述の構造と作用を有するので次の様な効果を有している。
【０００７】
コンクリート構造体自体に骨材６と強固に接続された固定金具２が装置されており、ワイヤー４は固定金具２を貫通し、その両端に停止金具５が付いている。即ち、ワイヤー４を引き上げるだけで、停止金具５が固定金具２と係合することにより吊り上げることが可能であるため、搬入設置現場における吊り上げ装置とコンクリート構造体との結合作業は必要なくなる。    
【０００８】
また、設置後は、収納部３にワイヤー４が収納されるため、再施工も容易に能率よく行うことが可能になる。
【図面の簡単な説明】
【０００９】
【図１】（ａ）図はこの発明の実施例でマンホールの吊り状況の平面図 、（ｂ）図は（ａ）図のマンホール吊り状況の斜視図 、（ｃ）図はワイヤー・固定金具・停止金具・  収納部の詳細断面図（図１の（ａ）図のＡＡ矢視位置）
【図２】（ａ）図はこの発明の実施例で、分割角形底部のマンホールの吊り状況の斜          視図、（ｂ）図は前記上部・中間部・底部の吊り状況の斜視図
【図３】（ａ）図はこの発明の実施例で、分割円形マンホールの吊り状況の平面図 、    （ｂ）図は前記の上部・中間部の吊り状況の斜視図、（ｃ）図は（ａ）図の底部の吊り状況の斜視図
【図４】（ａ）図はこの発明の実施例で、分割平面の角形マンホールの吊り状況の平面図、（ｂ）図はこの発明の実施例で、分割平面の円形マンホールの吊り状況の平面図、（ｃ）図は前記（ａ）図（ｂ）図のＢＢ矢視位置の断面図、（ｄ）図はワイヤーと固定金具・停止金具の詳細断面図（同図（ａ）図のＣＣ矢視位置）
【図５】（ａ）図はこの発明の実施例で、連結円形水路の吊り状況の平面図、（ｂ）図は（ａ）図のワイヤーと固定金具・停止金具・収納部のＥＥ矢視位置の断面図、（ｃ）図は（ａ）図の吊り状況の斜視図
【図６】（ａ）図はこの発明の実施例で、連結角形水路の吊り状況の平面図、（ｂ）図は（ａ）図のワイヤーと固定金具・停止金具・収納部のＦＦ矢視位置の断面図、（ｃ）図は（ａ）図の吊り状況の斜視図
【図７】（ａ）図はこの発明の実施例で、連結コンクリートブロックの吊り状況の平面図、（ｂ）図は（ａ）図のワイヤーと固定金具・停止金具・収納部のＧＧ位置の矢視位置の断面図、（ｃ）図は（ａ）図の吊り状況の斜視図
【図８】（ａ）図はこの発明の実施例で、連結Ｕ字講の吊り状況の平面図、（ｂ）図は（ａ）図のワイヤーと固定金具・停止金具・収納部のＨＨ矢視位置の断面図、（ｃ）図は（ａ）図の吊り状況の斜視図
【図９】（ａ）図はワイヤー・固定金具・停止金具・収納部の拡大詳細断面図（図１（ｃ）図のＸ部分で停止金具とワイヤーの接続図）、（ｂ）図は（ａ）図のＡＡ矢視位置底部図
【発明を実施するための形態】
【００１０】
以下、この発明の実施例を図１から図９で説明する。
【００１１】
図１は、一体形のマンホールで、（ａ）図は、ワイヤー４を収納部３から引き出して  吊り上げている状態の平面図である。収納部３は、パイプ状の構造になっている。（ｂ）図は、その斜視図を示し、収納部３は、外部との配管位置スペース（イ）を避け、縦の辺から横方向の辺に伸びている。その内部にワイヤー４と停止金具５が移動出来るように配置することで、ワイヤー４の長さを確保している。（ｃ）図は、（ａ）図のＡＡ矢視位置の詳細断面図で、マンホール１Ａに固定された金具２とワイヤー４の両端に付けた停止金具５の関係を示している。ワイヤー４を収納部３から引き出した時に、停止金具５が骨材６と強固に接続された固定金具２に係合することにより、マンホール１Ａが吊り上げられる構造になっている。
【００１２】
図２の（ａ）図は、分割形マンホールの吊り状況を示した図で、下段マンホール１Ｂを設置し、その後に（ｂ）図に示すように中段マンホール１Ｃ、上段マンホール１Ｄの順番で設置する。下段マンホール１Ｂ・中段マンホール１Ｃは、上段マンホール１Ｄと同様にワイヤー４を収納した収納部３を有している。設置する時には、下段マンホール１Ｂ、中段マンホール１Ｃ、それぞれ収納部３からワイヤー４を引き出し、図１の（ｃ）図で示しているように、停止金具５が固定金具２に係合することにより吊り上げて重ねることができ、使用後のワイヤー４は、収納部３に収納される。
【００１３】
図３の（ａ）図は、分割円形上部のマンホール１Ｅの吊り状況の平面図で、収納部３は円形の形に合わせて配置している。（ｂ）図・（ｃ）図は、（ａ）図に示した分割円形マンホールの吊り状況を示した図で、下段マンホール１Ｆを設置し、その後に中間マンホール１Ｇ・上段マンホール１Ｅの順番で設置する。下段マンホール１Ｆ・中段マンホール１Ｇは、上段マンホール１Ｅと同様に、吊りワイヤー４を収納した収納部３を有している。設置する時には、収納部３からワイヤー４を引き出し、図１の（ｃ）図で示しているように、停止金具５が固定金具２に係合することにより、吊り上げて重ねることができる。使用後のワイヤー４は、収納部３に収納される。
【００１４】
図４の（ａ）図・（ｂ）図は、薄型の角形・円形のマンホールの平面図で、（ａ）図では１Ｈの形状の内部に沿って、（ｂ）図では１Ｉの形状の内部に沿ってワイヤー４を収納した収納部３を有し、設置する時には、収納部３からワイヤー４を引き出して吊り上げる。（ｃ）図は、（ａ）図（ｂ）図のＢＢ矢視位置の断面図で、収納部３は、途中で交差し伸びており、ワイヤー４の長さを確保するため、２重に配置されている。（ｄ）図は（ａ）図のＣＣ矢視位置の断面図を示し、ワイヤー４を収納部３から引き出した時に、停止金具５が、骨材６と一体に接続された固定金具２に係合することにより、吊り上げることができる。使用後のワイヤー４は、収納部３に収納される。 
【００１５】
図５の（ａ）図は、円形水路１Ｊの平面図で、円形水路１Ｊａと１Ｊｂと連結して設置する。金具２と、ワイヤー４を収納した収納部３は、（ｂ）図で示すように、配置されている。（ｃ）図は、その設置状況と吊り状態を示し、収納部３からワイヤー４を引き出し、図１の（ｃ）図で示しているように、停止金具５が固定された金具２に係合することにより、吊り上げて設置することができる。使用後のワイヤー４は、収納部３に収納される。
【００１６】
図６の（ａ）図は、角形水路１Ｋの平面図で、角形水路１Ｋｂと１Ｋｃと連結して設置する。金具２と、ワイヤー４を収納した収納部３は、（ｂ）図で示すように、配置されている。（ｃ）図は、その設置状況と吊り状態を示し、収納部３からワイヤー４を引き出し、図１の（ｃ）図で示しているように、停止金具５が固定された金具２に係合することにより、吊り上げて設置することができる。使用後のワイヤー４は、収納部３に収納される。
【００１７】
図７の（ａ）図は、コンクリートブロック１Ｌの平面図で、１Ｌｂと１Ｌｃと連結して設置する。金具２と、ワイヤー４を収納した収納部３は、（ｂ）図で示すように、配置されている。（ｃ）図は、その設置状況と吊り状態を示し、収納部３からワイヤー４を引き出し、図１の（ｃ）図で示しているように、停止金具５が固定された金具２に係合することにより、吊り上げて設置することができる。使用後のワイヤー４は、収納部３に収納される。
【００１８】
図８の（ａ）図は、Ｕ字溝１Ｍの平面図で、１Ｍｂと１Ｍｃと連結して設置する。金具２と、ワイヤー４を収納した収納部３は、（ｂ）図で示すように、配置されている。（ｃ）図は、その設置状況と吊り状態を示し、収納部３からワイヤー４を引き出し、図１の（ｃ）図で示しているように、停止金具５が固定された金具２に係合することにより、吊り上げて設置することができる。使用後のワイヤー４は、収納部３に収納される。
【００１９】
図９の（ａ）図は、図１の（ｃ）図のＸ部分の拡大図で、ワイヤー４と停止金具５の接続詳細図を示している。停止金具５の内部に円錐形の空洞５ａを設け、更にその内部に合致する円錐形金具５ｂを設ける。その円錐形金具５ｂの中心にワイヤー４を貫通させ、その貫通させたワイヤーの先端の縒りを解いて放射線状に広げ、円錐形金具５ｂの底部５ｄから円錐形金具５ｂの表面を包み込むように折り返す。折り返したワイヤー４の先端部分と、円錐形金具５ｂを通っていない部分のワイヤー４を束ねてリング金具５ｃで固定し、更に停止金具５の内部の空洞５aに金属接着剤を流し固定することにより、ワイヤー４と停止金具５が強く固定される。円錐形金具５ｂの底部５ｄは、ワイヤー４の折り返した部分にかかる負荷を分散させるために半球状になっている。図９の方法で示すように、ワイヤー４に圧縮接続や溶接を施さないため、ワイヤー４に損傷を与えることなく、強度を保つことが可能になる。
【００２０】
ワイヤー４は、コンクリート構造体及びその用途によって、チェーンで代用も可能である。
【符号の説明】
【００２１】
１Ａ  一体型マンホール 
１Ｂ  分割型上部マンホール 
１Ｃ  分割下部マンホール 
１Ｄ  分割角形中間部マンホール 
１Ｅ  分割形上部マンホール 
１Ｆ  分割形底部マンホール 
１Ｇ  分割中間部マンホール 
１Ｈ  分割平角形上部マンホール 
１Ｉ   分割平円形上部マンホール 
１Ｊ   円形水路・共同溝 
１Ｋ  角形水路・共同溝 
１Ｌ  コンクリートブロック 
１Ｍ  Ｕ字講 
イ     外部接続スペース 
ロ     収納スペース 
２    固定金具
３    収納部
４    ワイヤー
５    停止金具
５ａ  円錐形の空洞
５ｂ  円錐形金具
５ｃ  リング金具
５ｄ  円錐形金具の底部
６    骨材
【図１】
2014058840.tif 000003
【図２】
2014058840.tif 000004
【図３】
2014058840.tif 000005
【図４】
2014058840.tif 000006
【図５】
2014058840.tif 000007
【図６】
2014058840.tif 000008
【図７】
2014058840.tif 000009
【図８】
2014058840.tif 000010
【図９】
2014058840.tif 000011
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
固定金具と、パイプ状の収納部を有し、
前記収納部は、ワイヤーの一方を収納する第一の収納部と、この第一の収納部と独立した、ワイヤーの他方を収納する第二の収納部よりなり、
この二つの収納部に固定金具と係合するように停止金具が両端に付いたワイヤーが収納され、吊り上げる時にワイヤーを前記収納部から引出して吊り上げることを特徴とするコンクリート構造体。
【手続補正２】
【補正対象書類名】明細書
【補正対象項目名】０００５
【補正方法】変更
【補正の内容】
【０００５】
請求項１の発明は、従来の問題点を根本的に改善した技術であって、コンクリート構造体に固定された金具と、パイプ状の収納部を有し、前記収納部は、ワイヤーの一方を収納する第一の収納部と、この第一の収納部と独立した、ワイヤーの他方を収納する第二の収納部よりなり、この二つの収納部に固定金具と係合するように停止金具が両端に付いたワイヤーが収納され、吊り上げる時にワイヤーを前記収納部から引出して吊り上げ、使用後は元の位置に収納することを特徴とする。
【手続補正３】
【補正対象書類名】明細書
【補正対象項目名】０００８
【補正方法】変更
【補正の内容】
【０００８】
また、設置後は、パイプ状の収納部３にワイヤー４が収納され、ワイヤー４がコンクリート構造体の外部に露出していない状態で設置されるため、ワイヤー４が外部環境に影響される事がない。すなわち、異物が付着することを防ぐことができ、ワイヤーの腐食を軽減することができ、さらに積み重ねや連結の施工時にワイヤーの存在が邪魔にならない。また、収納部が独立しているので、ワイヤが絡み合うことも防止できる。